(57)【要約】【課題】遊技機関連法規を遵守しつつ、サイズ的なインパクトのある可変入賞口を搭載したパチンコ機を提供する。【解決手段】  特別電動役物の作動時に、大入賞口３３を開放する開放姿勢の開閉板３３ａと、左囲い部３４Ｌと、右囲い部３４Ｒとによって、受入口３５以外からの遊技球の流入が不可能な閉じた領域が形成される構成を採用し、受入口の大きさＬ１を１３５ｍｍ以下、開閉板の大きさＬ２を受入口の大きさよりも大きく設定した。【選択図】図２
2018108525.tif 000002
【特許請求の範囲】
【請求項１】
遊技盤に、入賞口と、該入賞口へ向けて落下する遊技球の落下経路上に配設され、作動時には未作動時よりも前記入賞口への入賞を容易にする電動役物と、を備え、
前記電動役物は、前記落下経路を落下する遊技球を受け止めて前記入賞口へ導く作動姿勢と、該遊技球を受け止めることなく下流側へ落下させる非作動姿勢とに往動可能な受止部を有する、パチンコ機において、
前記入賞口及び前記作動姿勢にある前記電動役物の受止部と連携して、該電動役物の受止部よりも上流側に前記入賞口へ至る遊技球を受け入れる受入口を形成するとともに、該受入口以外からの遊技球の流入が不可能な閉じた領域を区画する領域区画部材を備え、
前記受入口の前記遊技盤と平行な距離の最大値を１３５ｍｍ以下に設定するとともに、前記受止部の前記遊技盤と平行な距離の最大値が１３５ｍｍを超えるように設定したことを特徴とするパチンコ機。
【発明の詳細な説明】
【技術分野】
【０００１】
本発明は、パチンコ機に関する。
【背景技術】
【０００２】
パチンコ機の遊技盤面には、入賞した場合に賞球が払い出される多数の入賞口が配設されている。また、これら多数の入賞口の中には、役物の作動によって入賞が容易となる入賞口（以下、役物入賞口という）が含まれる。
役物入賞口のうち、通常時には入賞不能とされ、大当りに当選した場合等、特別電動役物が作動した場合に入賞可能となる入賞口を大入賞口という。
なお、役物入賞口の入口の大きさは、役物未作動時には１３ｍｍ以下、大入賞口を除く入賞口（例えば始動口等）に係る役物作動時の入口の大きさは５５ｍｍ以下、大入賞口に係る役物作動時の入口の大きさは５５ｍｍを超え１３５ｍｍ以下と、遊技関連法規により規定されている。さらに、遊技機関連法規の解釈基準によれば、入賞口の入口及びこの大きさは、以下のように解される。
１）入賞口の入口とは、入賞口及び当該入賞口に連なる遊技くぎ等（その間を遊技球が通過できない形で連続配置されている遊技くぎ等）で構成される遊技球の通過面のうち、入賞口から最も離れた位置にあるものであると解する。
２）入賞口の入口の大きさとは、入賞口の入口のうち、遊技盤と平行な距離の最大値であると解する。なお、遊技くぎにおける当該大きさとは、内法であると解する。
【０００３】
上記規定及び解釈基準によれば、例えば、大入賞口開放時の入口の大きさは５５ｍｍを超え１３５ｍｍ以下となる。
また、従来の特別電動役物は、未作動時には大入賞口を閉塞し、作動時に大入賞口を開放する可動部材で、該可動部材の大きさが１３５ｍｍを越えてはいけないという固定概念があったため、例えば、視覚的なインパクトのある巨大な大入賞口を搭載した機種は従来にはなかった。
例えば、特許文献１には、所謂アタッカータイプの２つの大入賞口を上下に隣接配置し、同時に２つの大入賞口を開放することで、あたかも２倍に拡大された１枚の開放扉に変化するように見せることが出来る旨が開示されているが、従来の固定概念の範囲内に留まるものに過ぎない。
【特許文献１】特開２００５−３４９０７５号公報
【発明の開示】
【発明が解決しようとする課題】
【０００４】
そこで、本発明の目的は、上記の遊技機関連法規を遵守しつつ、従来の固定概念を打破した、視覚的に絶大なインパクトのある巨大な大入賞口の搭載も可能なパチンコ機を提供することである。
【課題を解決するための手段】
【０００５】
以上の課題を解決するために本発明が採用する手段を以下に説明する。なお、本発明の理解を容易にするために以下では図面の参照符号を便宜的に括弧書で付記するが、本発明を図示の形態に限定する趣旨ではない。
【０００６】
第１発明のパチンコ機（１）は、
遊技盤（２０）に、入賞口（３３）と、該入賞口（３３）への入賞を未作動時には不能にし、作動時には可能とする電動役物（３３ａ）と、を備え、
前記電動役物（３３ａ）は、前記入賞口（３３）へ向けて落下する遊技球を受け止めて前記入賞口（３３）へ遊技球を導く作動姿勢と、前記入賞口（３３）へ向けて落下する遊技球を受け止めることなく下流側へ落下させる未作動姿勢とに往動可能な受止部を有し、
前記作動姿勢にある前記電動役物（３３ａ）の受止部と連携して、該電動役物（３３ａ）の受止部よりも上流側に前記入賞口（３３）へ至る遊技球を受け入れる受入口（３５）を形成するとともに、該受入口（３５）以外からの遊技球の流入が不可能な閉じた領域を区画する領域区画部材（３４Ｌ、３４Ｒ）を備え、
前記受入口（３５）の前記遊技盤（２０）と平行な距離の最大値（Ｌ１）よりも、前記受止部（３５）の前記遊技盤（２０）と平行な距離の最大値（Ｌ２）のほうが大きいことを特徴とする。
【０００７】
また、第２発明のパチンコ機（１）は、
遊技盤（２０）に、入賞口（５４）と、前記入賞口（５４）へ向けて落下する遊技球の落下経路上に配設され、作動時には未作動時よりも前記入賞口（５４）への入賞を容易にする電動役物（５３）と、を備え、
前記電動役物（５３）は、前記落下経路を落下する遊技球を受け止めて前記入賞口へ導く作動姿勢と、該遊技球を受け止めることなく下流側へ落下させる非作動姿勢とに往動可能な受止部を有し、
前記入賞口（５４）及び前記作動姿勢にある前記電動役物（５３）の受止部と連携して、該電動役物（５３）の受止部よりも上流側に前記入賞口（５４）へ至る遊技球を受け入れる受入口（５５）を形成するとともに、該受入口（５５）以外からの遊技球の流入が不可能な閉じた領域を区画する領域区画部材（５１Ｌ，５１Ｒ）を備え、
前記受入口（５５）の前記遊技盤（２０）と平行な距離の最大値（Ｌ２）よりも、前記受止部の前記遊技盤と平行な距離の最大値（Ｌ３＋Ｌ４）のほうが大きいことを特徴とする。
【０００８】
上記第１発明及び第２発明のパチンコ機によれば、電動役物の作動時には、作動姿勢にある電動役物の受止部と、入賞口と、領域区画部材とによって、受入口以外からの遊技球の流入が不可能な閉じた領域が区画される。従って、電動役物作動時の入賞口の入口の大きさは、受入口の遊技盤と平行な距離の最大値（以下、受入口の大きさという）になるため、この値を遊技機関連法規の許容範囲内に設定しておけばよい。一方で、受止部の遊技盤と平行な距離の最大値（以下、受止部の大きさという）は、任意に設定することができるため、受止部の大きさを受入口の大きさよりも大きく設定することで、従来の固定概念を打破した、視覚的に絶大なインパクトのある巨大な入賞口の搭載が可能となる。
【発明の効果】
【０００９】
本発明のパチンコ機によれば、上記の遊技機関連法規を遵守しつつ、従来の固定概念を打破した、視覚的に絶大なインパクトのある巨大な大入賞口の搭載も可能となる。
【図面の簡単な説明】
【００１０】
【図１】本発明に係るパチンコ機の正面図である。
【図２】該パチンコ機の遊技盤の正面図である。
【図３】該パチンコ機の制御装置のブロック図である。
【図４】変形例１において、ａ）は特別電動役物の未作動時、ｂ）は作動時の大入賞口及びその周辺の構造を示す図である。
【図５】変形例２において、ａ）は特別電動役物の未作動時、ｂ）は作動時の大入賞口及びその周辺の構造を示す図である。
【図６】変形例３において、ａ）は特別電動役物の未作動時、ｂ）は作動時の大入賞口及びその周辺の構造を示す図である。
【図７】変形例４において、ａ）は特別電動役物の未作動時、ｂ）は作動時の大入賞口及びその周辺の構造を示す図である。
【発明を実施するための形態】
【００１１】
以下、本発明を適用したパチンコ機の実施の形態につき、図面に沿って具体的に説明する。
【００１２】
＜パチンコ機の外観構成＞
本発明のパチンコ機１は、図１に示す如く、前扉２と、前扉２を開閉可能に支持する本体３とから構成され、前扉２は、その閉状態において本体３の前面を覆っている。前扉２には、本体３に取り付けられた遊技盤２０（図２参照）を前面側から視認可能とすべく、ガラス１６が嵌め込まれており、ガラス１６の周囲には装飾ランプ１７が設けられている。
前扉２のガラス１６の下側には、貸球及び賞球が払い出される上皿１１と、該上皿１１が満杯となったときに内方で溢れた球が払い出される下皿１２と、遊技盤に向けて遊技球を発射すべく操作する発射ハンドル１３とが配設されている。上皿１１の上面には、遊技者介入型の演出実行時に操作が促される演出ボタン１５が配設されている。
また、前扉２の発射ハンドル１３の上側には、前扉２の開閉時に鍵を挿抜するための鍵穴１４が設けられている。
【００１３】
図２に示す如く、遊技盤２０には、発射された遊技球Ｐを導く外レール２１及び内レール２２によって、略円形の遊技領域が区画されている。内レール２１の先端には、球戻り防止弁２４が取り付けられている。また、遊技盤面右上側の外レール２１の内側には、強く打ち出された遊技球Ｐを遊技領域に跳ね返す球止め２３が設けられている。
遊技領域の略中央には、液晶ディスプレイからなる演出表示装置３６が配設されている。演出表示装置３６の下方の遊技盤２０の略中央部には、入口の大きさが常時一定の第１始動口３０と、入口にその大きさを変更可能な普通電動役物３２を備えた第２始動口３１とが、上下に並んで配設されている。
【００１４】
普通電動役物３２は、一対の可動花弁３２Ｌ,３２Ｒからなる所謂電動チューリップ（以下、電チューともいう）で構成している。普通電動役物３２の未作動時には、一対の可動花弁３２Ｌ,３２Ｒの先端側が互いに接近し、第２始動口３１の入口を閉塞する。一方、普通電動役物３２の作動時には、一対の可動花弁３２Ｌ,３２Ｒの先端側が互いに離間し、第２始動口３１の入口を開放する。図２は、普通電動役物３２の未作動時の状態を示している。
また、演出表示装置３６よりも左側の左盤面には、遊技球Ｐの通過が普通電動役物３２の作動契機に設定されたゲートＧＴと、遊技球Ｐの落下方向に変化を与える風車２５と、３つの一般入賞口２６、２７、２８が配設されている。
【００１５】
第１始動口３０及び第２始動口３１の下側には、遊技盤２０の左右方向の略中央部から右端部に亘る巨大な大入賞口３３が配設されている。該大入賞口３３には、該遊技盤面に沿って起立し大入賞口３３を閉塞する閉塞姿勢と、下端側の枢軸を中心に手前側に倒れて大入賞口３３を開放するとともに、落下する遊技球Ｐを受け止めて開放した大入賞口３３へ導く開放姿勢との間で往動可能な開閉板３３ａが取り付けられている。図２は開閉板３３ａが閉塞姿勢にある状態を示している。
【００１６】
また、大入賞口３３の左上端部及び右上端部からそれぞれ上流側に向かって、その間を遊技球が通過できない形で複数本の遊技くぎを連続配置することにより、左囲い部３４Ｌ及び右囲い部３４Ｒを設けている。
左囲い部３４Ｌは、大入賞口３３の左上端部から鉛直方向上側に向けて直線状に延びる左鉛直部３４Ｌａと、該左鉛直部３４Ｌａの先端から右上方向に向けて直線状に延びる左傾斜部３４Ｌｂとからなる。
右囲い部３４Ｒは、大入賞口３３の右上端部から鉛直方向上側に向けて直線状に延びる右鉛直部３４Ｒａと、該右鉛直部３４Ｒａの先端から左上方向に向けて直線状に延びる右傾斜部３４Ｒｂとからなる。
左囲い部３４Ｌの左傾斜部３４Ｌｂの右端と、右囲い部３４Ｒの右傾斜部３４Ｒｂの左端との間には、大入賞口３３へ向けて落下する遊技球の通過を許容する受入口３５が設けられており、この受入口３５の大きさＬ１は１３５ｍｍ以下に設定している。
一方、大入賞口３３の開閉板３３ａの左右方向の長さＬ２は、受入口３５の大きさＬ１よりも大きく、１３５ｍｍを超えるものに設定している。
【００１７】
大入賞口３３の下方には、入賞を逃した球を排出するアウト口２９と、表示ボードＤＢとが配設されている。拡大して明示するように、表示ボードＤＢは、第１特図表示装置ＳＤ１と、第２特図表示装置ＳＤ２と、普図表示装置ＮＤとを具備する。第１特図表示装置ＳＤ１、第２特図表示装置ＳＤ２、及び普図表示装置ＮＤはそれぞれ、７セグメントＬＥＤで構成している。
普図表示装置ＮＤは、遊技球がゲートＧＴを通過したときに取得した乱数値に基づく普図抽選の結果を表示する装置である。
第１特図表示装置ＳＤ１は、遊技球が第１始動口３０に入賞したときに取得した乱数値に基づく大当り抽選の結果を表示する装置である。
第２特図表示装置ＳＤ２は、遊技球が第２始動口３１に入賞したときに取得した乱数値に基づく大当り抽選の結果を表示する装置である。
また、図示は省略したが、遊技盤３０には、多数本の遊技釘及び風車等が打設されており、これらからなる独特のゲージ構成を備える。
【００１８】
なお、第１始動口３０への入賞に対する賞球数は４球、第２始動口３１への入賞に対する賞球数は１球、大入賞口３３への入賞に対する賞球数は１５球、一般入賞口２６〜２８に対する賞球数は１０球に設定している。
【００１９】
＜パチンコ機の電気的構成＞
図４に示す如く、本実施例のパチンコ機１の制御部１００は、遊技制御を司る主制御部１１０と、主制御部１１０からの指令に基づいて主に演出表示装置３６の制御を司る副制御部１２０と、主制御部１１０からの指令に基づく賞球払出制御と台間機との通信を伴う貸球払出制御とを司る払出制御部１３０とからなり、主制御部１１０と副制御部１２０とは、主制御部１１０から副制御部１２０への一方向通信経路によって互いに電気的に接続されると共に、主制御部１１０と払出制御部１３０とは、主制御部１１０から払出制御部１３０への一方向通信経路によって互いに電気的に接続されている。
【００２０】
主制御部１１０は、ＣＰＵ１１１、ＲＯＭ１１２、ＲＡＭ１１３、入力ポート１１４、及び出力ポート１１５を備え、主制御部１１０の入力ポート１１４には、第１始動口３０への入賞を検知する第１始動口入賞センサ３０Ｓと、第２始動口３１への入賞を検知する第２始動口入賞センサ３１Ｓと、大入賞口３３への入賞を検知する大入賞口カウントセンサ３３Ｓと、遊技球がゲートＧＴを通過したことを検知するゲートセンサＧＴＳと、３つの一般入賞口２６、２７、２８への入賞をそれぞれ検知する３つの一般入賞口入賞センサ２６Ｓ、２７Ｓ、２８Ｓとが、それぞれ電気的に接続されている。
【００２１】
主制御部１１０の出力ポート１１５には、第１特図表示装置ＳＤ１と、第２特図表示装置ＳＤ２と、普図表示装置ＮＤと、普通電動役物３２の可動花弁３２Ｌ，３２Ｒを駆動する普電駆動部３２Ｄと、大入賞口３３の開閉板３３ａを開閉駆動する大入賞口開閉板駆動部３３Ｄと、遊技関連情報を外部へ送信するための中継基板として機能する外部端子板ＳＯとが、それぞれ電気的に接続されている。
主制御部１１０のＣＰＵ１１１は、ＲＯＭ１１２に格納された遊技プログラムＰｇに則り、入力ポート１１４に接続された各種センサの検出信号に応じて、出力ポート１１５に接続された各表示装置及び各駆動部の制御、副制御部１２０及び払出制御部１３０へのコマンドの送信、並びに外部端子板ＳＯへの信号出力を行う。ＲＡＭ１１３には、遊技プログラムＰｇの実行に必要な情報が逐次記憶される。
【００２２】
副制御部１２０は、ＣＰＵ１２１、ＲＯＭ１２２、ＲＡＭ１２３、入力ポート１２４、及び出力ポート１２５を備え、副制御部１２０の入力ポート１２４には、演出ボタン１５に対する操作の有無を検出する演出ボタンセンサ１５Ｓが電気的に接続されている。副制御部１２０の出力ポート１２５には、演出表示装置３６と、一対のスピーカＬＳＰ，ＲＳＰ（不図示）と、装飾ランプ１７とが、それぞれ電気的に接続されている。
副制御部１２０のＣＰＵ１２１は、ＲＯＭ１２２に格納された演出プログラムＱｇに則り、主制御部１１０からのコマンドと、入力ポート１２４に接続された演出ボタンセンサ２５Ｓの検出信号とに応じて、出力ポート１２５に接続された演出表示装置３７、一対のスピーカＬＳＰ，ＲＳＰ、及び装飾ランプ２７を制御する。ＲＡＭ１２３には、演出プログラムＱｇの実行に必要な情報が逐次記憶される。
【００２３】
払出制御部１３０は、ＣＰＵ１３１、ＲＯＭ１３２、ＲＡＭ１３３、入力ポート１３４、及び出力ポート１３５を備え、払出制御部１３０の入力ポート１３４には、遊技球払出装置ＷＳから払い出された遊技球を検出するための払出球検出センサＨＳと、カード排出スイッチＳＷ１と、貸球スイッチＳＷ２とがそれぞれ電気的に接続されている。払出制御部１３０の出力ポート１３５には、遊技球払出装置ＷＳと、残高表示器ＢＤとがそれぞれ電気的に接続されている。
払出制御部１３０のＣＰＵ１３１は、ＲＯＭ１３２に格納された払出プログラムＲｇに則り、主制御部１１０からの賞球コマンドに基づいて賞球払出処理を実行すると共に、カード排出スイッチＳＷ１や貸球スイッチＳＷ２が操作された場合にはその旨を台間機に送信し、台間機との双方向通信により、貸球払出処理を実行する。ＲＡＭ１３３には、払出プログラムＲｇの実行に必要な情報が逐次記憶される。
【００２４】
＜遊技性＞
本発明のパチンコ機１においては、第１始動口３０または第２始動口３１の入賞時に乱数を取得し、取得した乱数値に基づき、大入賞口３３を開放する大当り遊技を実行するか否か、を決定する大当り抽選を実行する。また、大当り抽選に当選した場合には、合わせて大当り種別を決定する。
【００２５】
第１始動口３０への入賞に基づく大当り抽選を実行した場合には、第１特図表示装置ＳＤ１での第１特図変動を開始するとともに、該第１特図変動に同期して演出表示装置３６での演出図柄変動を開始する。大当り抽選時に決定した図柄変動時間が経過すると、第１特図変動を停止して大当り抽選の結果に応じた図柄を第１特図表示装置ＳＤ１に停止表示するとともに、演出図柄変動を停止して大当り抽選の結果に応じた図柄を演出表示装置３６に停止表示する。
【００２６】
同様に、第２始動口３１への入賞に基づく大当り抽選を実行した場合には、第２特図表示装置ＳＤ２での第２特図変動を開始するとともに、該第２特図変動に同期して演出表示装置３６での演出図柄変動を開始する。大当り抽選時に決定した図柄変動時間が経過すると、第２特図変動を停止して大当り抽選の結果に応じた図柄を第２特図表示装置ＳＤ２に停止表示するとともに、演出図柄変動を停止して大当り抽選の結果に応じた図柄を演出表示装置３６に停止表示する。
【００２７】
前記大当り抽選に当選した場合、大当り種別ごとに設定される最大ラウンド数に亘って大入賞口３３が複数回開放される大当り遊技が実行される。大当り遊技中の各ラウンドでは、大当り種別及びラウンドごとに設定される最大開放時間が経過したこと、及び各ラウンドにおいて大入賞口３３に入賞した遊技球の数が予め設定された最大カウント数に至ったこと、の何れか早い方の条件を満たすまで大入賞口３３が開放され、この開放動作が最大ラウンドに亘って繰り返される。これにより、大当り遊技中には大入賞口３３への入賞に対する賞球の払出によって、多くの出球が得られる。
【００２８】
なお、大当り抽選での当選確率として、低確率と高確率の２通りを用意し、前記大当り種別が確変大当りの場合には、大当り遊技終了後、大当り抽選の当選確率が高確率に設定される確変状態へ移行する一方、通常大当りの場合には低確率が維持されるようにしてもよい。
【００２９】
また、普通電動役物３２の作動頻度が低く第２始動口３１への入賞頻度が低い非時短遊技状態と、普通電動役物３２の作動頻度が低く第２始動口３１への入賞頻度が高い時短遊技状態とを設け、大当り抽選当選時の遊技状態と大当り種別とに応じて、非時短遊技状態及び時短遊技状態のうちの何れの遊技状態に移行させるか、また時短遊技状態へ移行させる場合にはその終了条件を決定するように構成してもよい。
【００３０】
＜大入賞口３３の入口の大きさについて＞
図２に示す如く、開閉板３３ａが閉塞姿勢とされる特別電動役物の未作動時、大入賞口３３は開閉板３３ａによって閉塞されている。
一方、開閉板３３ａが開放姿勢とされる特別電動役物の作動時、開閉板３３ａは大入賞口３３を開放するとともに、落下する遊技球Ｐを受け止めて開放した大入賞口３３へ導く。
また、特別電動役物の作動時には、開放姿勢の開閉板３３ａと、左囲い部３４Ｌと、右囲い部３４Ｒとによって、受入口３５以外からの遊技球の流入が不可能な閉じた領域が形成される。このため、特別電動役物作動時の大入賞口３３の入口の大きさは、受入口３５の大きさＬ１となる。上述の如く、受入口３５の大きさＬ１は１３５ｍｍ以下に設定しているため、遊技関連規則に抵触することはない。
【００３１】
このように、特別電動役物の作動時に、開放姿勢の開閉板３３ａと、左囲い部３４Ｌと、右囲い部３４Ｒとによって、受入口３５以外からの遊技球の流入が不可能な閉じた領域が形成される構成を採用した場合、受入口３５の大きさＬ１を１３５ｍｍ以下に設定しておけば、遊技関連規則に抵触することはないため、大入賞口３３の開閉板３３ａの左右方向の長さＬ２は、任意に設定することが出来る。従って、本発明のパチンコ機１のように、大入賞口３３の開閉板３３ａの左右方向の長さＬ２が１３５ｍｍを超える構成も採用することが可能となり、この結果、視覚的に大きなインパクトを遊技者に与える魅力的なパチンコ機を提供することが出来る。
【００３２】
以下、遊技機関連法規を遵守した、視覚的に絶大なインパクトのある巨大な大入賞口に関する他の変形例について、説明する。
＜変形例１＞
図４（ａ）は、本変形例１における特別電動役物の未作動時、図４（ｂ）は特別電動役物の作動時を示す。
本変形例１において、４４が大入賞口、４３Ｌ及び４３Ｒからなる４３が特別電動役物である。
大入賞口４４は、上述の実施例とは異なり、特別電動役物の未作動時でも閉塞されておらず、特別電動役物未作動時の大入賞口４４の入口の大きさＬ１は、遊技球の直径である１１ｍｍよりも大きく、且つ１３ｍｍ以下に設定している。
また、特別電動役物４３は、左可動板４３Ｌ及び右可動板４３Ｒからなり、左可動板４３Ｌ及び右可動板４３Ｒは、大入賞口４４を間に挟んだ左右両側にそれぞれ配置されている。
【００３３】
特別電動役物４３、即ち左可動板４３Ｌ及び右可動板４３Ｒは、図４（ａ）に示す如く、遊技盤２０の内部に埋没した埋没姿勢と、図４（ｂ）に示す如く、遊技盤面から前方に突出した突出姿勢との間で往動可能に構成しており、特別電動役物４３の未作動時には埋没姿勢、作動時には突出姿勢とされる。
また、左可動板４３Ｌは、突出姿勢において、その右端部と大入賞口４４との間を遊技球が通過できないように配置されるとともに、左端部から右端部へ向かって、即ち大入賞口４４に向かって下り傾斜する形状を呈している。同様に、右可動板４３Ｒは、突出姿勢において、その左端部と大入賞口４４との間を遊技球が通過できないように配置されるとともに、右端部から左端部へ向かって、即ち大入賞口４４に向かって下り傾斜する形状を呈している。
【００３４】
大入賞口４４の上流側には、略コ字状の囲い部４１と、直線状のスロープ部４２とを配設している。囲い部４１及びスロープ部４２はそれぞれ、遊技盤面に対して略垂直に立設された薄板状の合成樹脂からなる。
囲い部４１は、突出姿勢における右可動板４３Ｒの右端部との間を遊技球が通過できないように配置されるとともに、該右可動板４３Ｒと略同等の傾斜角度で右端部から左端部へ向かって下り傾斜する下傾斜部４１ｄと、該下傾斜部４１ｄの右端部から鉛直方向上側に向けて直線状に延びる鉛直部４１ｃと、該鉛直部４１ｃの上端部から左上側に向かって直線状に延びる中間傾斜部４１ｂと、該中間傾斜部４１ｂの左端部から左上側に向かって直線状に延びる上傾斜部４１ａとからなる。上傾斜部４１ａ及び中間傾斜部４１ｂは左側から右側に向かって下り傾斜するが、その傾斜角度は、上傾斜部４１ａの方が急峻に設定している。
スロープ部４２は、囲い部４１と大入賞口４４の間に、囲い部４１の中間傾斜部４１ｂと略平行に設けている。また、スロープ部４２の左端部は、囲い部４１の上傾斜部４１ａの左端部よりも右側に位置し、且つスロープ部４２の右端部と、囲い部４１の鉛直部４１ｃの内面との間に、遊技球Ｐが通過可能な隙間４６を設けている。
【００３５】
特別電動役物４３の未作動時には、図４（ａ）に示す如く、左可動板４３Ｌ及び右可動板４３Ｒが埋没姿勢とされるため、スロープ部４１から隙間４６を通り、囲い部４１の下傾斜部４１ｄへ至った遊技球Ｐは、該下傾斜部４１ｄの左端部から下方に落下することになる。また、大入賞口４４の左側から遊技球Ｐが大入賞口４４に至るルートもないため、大入賞口４４への入賞は略期待できない。
【００３６】
一方、特別電動役物４３の作動時には、図４（ｂ）に示す如く、突出姿勢の左可動板４３Ｌの左端部と、囲い部４１の上傾斜部４１ａの左端部とによって、特別電動役物４４の作動時の大入賞口４４の入口の大きさを規定する受入口４５が形成されるとともに、左可動板４３Ｌ及び右可動板４３Ｒと囲い部４１とによって、前記受入口４５以外からの遊技球Ｐの流入が不可能な閉じた領域が形成される。ここで、受入口４５の大きさＬ２は１３５ｍｍ以下に設定しているため、遊技関連規則に抵触することはない。
【００３７】
また、突出姿勢の左可動板４３Ｌ及び右可動板４３Ｒは、落下する遊技球を受け止めて大入賞口４４へ導くガイド機能を発揮するため、受入口４５から流入しスロープ部４２に受け止められた遊技球Ｐは、隙間４６を落下して右可動板４３Ｒに受け止められ、該右可動板４３Ｒの上面を転動して大入賞口４４へ向かって落下する。一方、受入口４５から流入しスロープ部４２に受け止められなかった遊技球Ｐは、左可動板４３Ｌに受け止められ、該左可動板４３Ｌの上面を転動して大入賞口４４へ向かって落下する。よって、特別電動役物４３の作動時には、大入賞口４４への入賞が著しく容易となる。
【００３８】
また、本変形例１の構成を採用した場合、特別電動役物４３の作動時に形成される受入口４５の大きさＬ２を１３５ｍｍ以下に設定しておけば、遊技関連規則に抵触することはないため、特別電動役物４３を構成する左可動板４３Ｌの長さＬ３及び右可動板４３Ｒの長さＬ４は任意に設定することが出来る。本変形例１において、左可動板４３Ｌの長さＬ３と右可動板４３Ｒの長さＬ４の合計値は、１３５ｍｍを超えるものに設定している。このような構成を採用することも可能であり、また採用することによって、視覚的に大きなインパクトを遊技者に与える魅力的なパチンコ機を提供することが出来る。
【００３９】
＜変形例２＞
図５（ａ）は、本変形例２における特別電動役物の未作動時、図５（ｂ）は特別電動役物の作動時を示す。
本変形例２において、５４が大入賞口、５３Ｌ及び５３Ｒからなる５３が特別電動役物である。
大入賞口５４は、変形例２と同様に、特別電動役物５３の未作動時でも閉塞されておらず、特別電動役物５３未作動時の大入賞口５４の入口の大きさＬ１は、遊技球の直径である１１ｍｍよりも大きく、且つ１３ｍｍ以下に設定している。
また、特別電動役物５３は、左可動板４３Ｌ及び右可動板４３Ｒからなり、左可動板４３Ｌ及び右可動板４３Ｒは、大入賞口４４を間に挟んだ左右両側にそれぞれ配置されている。
【００４０】
特別電動役物５３、即ち左可動板５３Ｌ及び右可動板５３Ｒは、図５（ａ）に示す如く、遊技盤２０の内部に埋没した埋没姿勢と、図５（ｂ）に示す如く、遊技盤面から前方に突出した突出姿勢との間で往動可能に構成しており、特別電動役物５３の未作動時には埋没姿勢、作動時には突出姿勢とされる。
また、左可動板５３Ｌは、突出姿勢において、その右端部と大入賞口５４との間を遊技球が通過できないように配置されるとともに、左端部から右端部へ向かって、即ち大入賞口５４に向かって下り傾斜する形状を呈している。同様に、右可動板５３Ｒは、突出姿勢において、その左端部と大入賞口５４との間を遊技球が通過できないように配置されるとともに、右端部から左端部へ向かって、即ち大入賞口５４に向かって下り傾斜する形状を呈している。
【００４１】
大入賞口５４の上流側には、略コ字状の左囲い部５１Ｌ及び右囲い部５１Ｒと、屋根状のスロープ部５２とを配設している。左囲い部５１Ｌ、右囲い部５１Ｒ及びスロープ部５２はそれぞれ、遊技盤面に対して略垂直に立設された薄板状の合成樹脂からなる。
左囲い部５１Ｌは、突出姿勢における左可動板５３Ｌの左端部との間を遊技球が通過できないように配置されるとともに、該左可動板５３Ｌと略同等の傾斜角度で左端部から右端部へ向かって下り傾斜する下傾斜部５１Ｌｃと、該下傾斜部５１Ｌｃの左端部から鉛直方向上側に向けて直線状に延びる鉛直部５１Ｌｂと、該鉛直部５１Ｌｂの上端部から右上側に向かって直線状に延びる上傾斜部５１Ｌａとからなる。
右囲い部５１Ｒは、突出姿勢における右可動板５３Ｒの右端部との間を遊技球が通過できないように配置されるとともに、該右可動板５３Ｒと略同等の傾斜角度で右端部から左端部へ向かって下り傾斜する下傾斜部５１Ｒｃと、該下傾斜部５１Ｒｃの右端部から鉛直方向上側に向けて直線状に延びる鉛直部５１Ｒｂと、該鉛直部５１Ｒｂの上端部から左上側に向かって直線状に延びる上傾斜部５１Ｒａとからなる。
左囲い部５１Ｌと右囲い部５１Ｒは、略左右対称の形状を有しており、左囲い部５１Ｌの上傾斜部５１Ｌａと、右囲い部５１Ｒの上傾斜部５１Ｒａとの間には、遊技球Ｐが通過可能な受入口５５を形成している。
【００４２】
スロープ部５２は、左囲い部５１Ｌ及び右囲い部５１Ｒと、大入賞口５４との間に設けられており、受入口５５の中央部直下の頂点から左側に向けて直線状に下り傾斜する左スロープ部５２ａと、前記頂点から右側に向けて直線状に下り傾斜する右スロープ部５２ａとからなる。受入口５５から落下した遊技球Ｐは、スロープ部５２に受け止められて、左スロープ部５２ａまたは右スロープ部５２ｂ上を転動することになる。
また、スロープ部５２の左端部と、左囲い部５１Ｌの鉛直部５１Ｌｂの内面との間、及びスロープ部５２の右端部と、右囲い部５１Ｒの鉛直部５１Ｒｂの内面との間にそれぞれ、遊技球Ｐが通過可能な隙間５６Ｌ、５６Ｒを設けている。
【００４３】
受入口５５から落下してスロープ部５２に受け止められ、左スロープ部５２ａを転動する遊技球Ｐは、隙間５６Ｌから落下し、左囲い部５１Ｌの下傾斜部５１Ｌｃに受け止められ、該下傾斜部５１Ｌｃ上を転動することになり、右スロープ部５２ｂを転動する遊技球Ｐは、隙間５６Ｒから落下し、右囲い部５１Ｒの下傾斜部５１Ｒｃに受け止められ、該下傾斜部５１Ｒｃ上を転動することになるが、特別電動役物５３の未作動時には、図５（ａ）に示す如く、左可動板５３Ｌ及び右可動板５３Ｒが埋没姿勢とされるため、遊技球Ｐは、左囲い部５１Ｌの下傾斜部５１Ｌｃの右端、または右囲い部５１Ｒの下傾斜部５１Ｒｃの左端から下流側へ落下し、大入賞口５４へ入賞することはない。
【００４４】
一方、特別電動役物５３の作動時には、図５（ｂ）に示す如く、左可動板５３Ｌ及び右可動板５３Ｒが突出姿勢とされるため、左囲い部５１Ｌの下傾斜部５１Ｌｃの右端に至った遊技球Ｐは突出姿勢の左可動板５３Ｌ、右囲い部５１Ｒの下傾斜部５１Ｒｃの左端に至った遊技球Ｐは突出姿勢の右可動板５３Ｒによってそれぞれ受け止められる。また、突出姿勢の左可動板５３Ｌ及び右可動板５３Ｒは、遊技球Ｐを大入賞口５４へ導くガイド機能を発揮するため、受入口５５から流入した遊技球Ｐの全てが大入賞口５４に流れ込むことになる。よって、特別電動役物５３の作動時には、大入賞口５４への入賞が著しく容易となる。
【００４５】
また、特別電動役物５３の作動時には、図５（ｂ）に示す如く、突出姿勢の左可動板５３Ｌ及び右可動板５３Ｒと、左囲い部５１Ｌと、右囲い部５１Ｒとによって、前記受入口５５以外からの遊技球Ｐの流入が不可能な閉じた領域が形成される。よって、特別電動役物５３の作動時の大入賞口５４の入口の大きさは、受入口５５の大きさＬ２となり、受入口５５の大きさＬ２は１３５ｍｍ以下に設定しているため、遊技関連規則に抵触することはない。
【００４６】
さらに、本変形例２の構成を採用した場合、特別電動役物５３を構成する左可動板５３Ｌの長さＬ３及び右可動板５３Ｒの長さＬ４は任意に設定することが出来る。本変形例２において、左可動板５３Ｌの長さＬ３と右可動板５３Ｒの長さＬ４の合計値は、１３５ｍｍを超えるものに設定している。このような構成を採用することも可能であり、また採用することによって、視覚的に大きなインパクトを遊技者に与える魅力的なパチンコ機を提供することが出来る。
【００４７】
＜変形例３＞
図６（ａ）は、本変形例３における特別電動役物の未作動時、図６（ｂ）は特別電動役物の作動時を示す。
なお、本変形例３において、左囲い部５１Ｌ、右囲い部５１Ｒ、スロープ部５２、受入口５５、及び隙間５６Ｌ，５６Ｒについては、変形例２と同等の構成であるため、同じ符号を付して説明は省略する。変形例２とは、大入賞口及び特別電動役物の構成が異なるので、これについて以下に説明する。
【００４８】
本変形例３において、６４Ｌ及び６４Ｒが大入賞口、６３Ｌ、６３Ｍ及び６３Ｒからなる６３が特別電動役物である。
第１大入賞口６４Ｌ及び第２大入賞口６４Ｒは、変形例２と同様に、特別電動役物６３の未作動時でも閉塞されておらず、特別電動役物６３未作動時の第１大入賞口６４Ｌの入口の大きさＬ１、及び第２大入賞口６４Ｒの入口の大きさＬ２はそれぞれ、遊技球の直径である１１ｍｍよりも大きく、且つ１３ｍｍ以下に設定している。第１大入賞口６４Ｌ及び第２大入賞口６４Ｒは、その間を遊技球Ｐの通過が可能な距離を隔てて、水平方向に並んで配置している。
また、特別電動役物６３は、左可動板６３Ｌ、中間可動板６３Ｍ、及び右可動板６３Ｒからなり、左可動板６３Ｌは左囲い部５１Ｌの下傾斜部５１Ｌｃと第１大入賞口６４Ｌとの間、中間可動板６３Ｒは第１大入賞口６４Ｌと第２大入賞口６４Ｒとの間、右可動板６３Ｒは右囲い部５１Ｒの下傾斜部５１Ｒｃと第２大入賞口６４Ｒとの間にそれぞれ配置されている。
【００４９】
特別電動役物６３、即ち左可動板６３Ｌ、中間可動板６４Ｍ及び右可動板６３Ｒは、図６（ａ）に示す如く、遊技盤２０の内部に埋没した埋没姿勢と、図６（ｂ）に示す如く、遊技盤面から前方に突出した突出姿勢との間で往動可能に構成しており、特別電動役物６３の未作動時には埋没姿勢、作動時には突出姿勢とされる。
また、左可動板６３Ｌは、突出姿勢において、その右端部と第１大入賞口６４Ｌとの間、及びその左端部と左囲い部５１Ｌの下傾斜部５１Ｌｃとの間を遊技球Ｐが通過できないように配置されるとともに、左端部から右端部へ向かって、即ち第１大入賞口６４Ｌに向かって下り傾斜する形状を呈している。
同様に、右可動板６３Ｒは、突出姿勢において、その左端部と第２大入賞口６４Ｒとの間、その右端部と右囲い部５１Ｒの下傾斜部５１Ｒｃを遊技球Ｐが通過できないように配置されるとともに、右端部から左端部へ向かって、即ち第２大入賞口６４Ｒに向かって下り傾斜する形状を呈している。
【００５０】
中間可動板６３Ｍは、第１大入賞口６４Ｌと第２大入賞口６４Ｌの間の略中央部に頂点を有する屋根状を呈し、該頂点から第１大入賞口６４Ｌに向かって下り傾斜する左傾斜部６３ＭＬと、前記頂点から第２大入賞口６４Ｒに向かって下り傾斜する右傾斜部６３ＭＲとからなる。
中間可動板６３Ｍは、突出姿勢において、その左端部と第１大入賞口６４Ｌとの間、及びその右端部と第２大入賞口６４Ｒとの間を遊技球Ｐが通過できないように配置される。
【００５１】
受入口５５から落下してスロープ部５２に受け止められ、左スロープ部５２ａを転動する遊技球Ｐは、隙間５６Ｌから落下し、左囲い部５１Ｌの下傾斜部５１Ｌｃに受け止められ、該下傾斜部５１Ｌｃ上を転動することになり、右スロープ部５２ｂを転動する遊技球Ｐは、隙間５６Ｒから落下し、右囲い部５１Ｒの下傾斜部５１Ｒｃに受け止められ、該下傾斜部５１Ｒｃ上を転動することになるが、特別電動役物６３の未作動時には、図６（ａ）に示す如く、左可動板６３Ｌ及び右可動板６３Ｒが埋没姿勢とされるため、遊技球Ｐは、左囲い部５１Ｌの下傾斜部５１Ｌｃの右端、または右囲い部５１Ｒの下傾斜部５１Ｒｃの左端から下流側へ落下し、第１大入賞口６４Ｌまたは第２大入賞口６４Ｒへ入賞することはない。
【００５２】
一方、特別電動役物６３の作動時には、図６（ｂ）に示す如く、左可動板６３Ｌ、中間可動板６３Ｍ及び右可動板５３Ｒが突出姿勢とされるため、左囲い部５１Ｌの下傾斜部５１Ｌｃの右端に至った遊技球Ｐは突出姿勢の左可動板６３Ｌ、右囲い部５１Ｒの下傾斜部５１Ｒｃの左端に至った遊技球Ｐは突出姿勢の右可動板６３Ｒによってそれぞれ受け止められる。また、突出姿勢の左可動板６３Ｌ、中間可動板６３Ｍ及び右可動板６３Ｒは、遊技球Ｐを第１大入賞口６４Ｌまたは第２大入賞口６４Ｒへ導くガイド機能を発揮するため、受入口５５から流入した遊技球Ｐの全てが第１大入賞口６４Ｌまたは第２大入賞口６４Ｒに流れ込むことになる。よって、特別電動役物６３の作動時には、第１大入賞口６４Ｌ及び第２大入賞口６４Ｒへの入賞が著しく容易となる。
【００５３】
また、特別電動役物６３の作動時には、図５（ｂ）に示す如く、突出姿勢の左可動板６３Ｌ、中間可動板６４Ｍ及び右可動板５３Ｒと、左囲い部５１Ｌと、右囲い部５１Ｒとによって、前記受入口５５以外からの遊技球Ｐの流入が不可能な閉じた領域が形成される。よって、特別電動役物６３の作動時の第１大入賞口６４Ｌ及び第２大入賞口６４Ｒの入口の大きさは、受入口５５の大きさＬ３となり、受入口５５の大きさＬ３は１３５ｍｍ以下に設定しているため、遊技関連規則に抵触することはない。
【００５４】
さらに、本変形例３の構成を採用した場合、特別電動役物６３を構成する左可動板６３Ｌの長さＬ４、中間可動板６３Ｍの長さＬ５及び右可動板６３Ｒの長さＬ６は任意に設定することが出来る。本変形例３において、左可動板６３Ｌの長さＬ４、中間可動板６３Ｍの長さＬ５及び右可動板６３Ｒの長さＬ４の合計値は、１３５ｍｍを超えるものに設定している。このような構成を採用することも可能であり、また採用することによって、視覚的に大きなインパクトを遊技者に与える魅力的なパチンコ機を提供することが出来る。
【００５５】
＜変形例４＞
図７（ａ）は、本変形例４における特別電動役物の未作動時、図７（ｂ）は特別電動役物の作動時を示す。
本変形例４において、７４が大入賞口、７３ａ、７３ｂ及び７３ｃからなる７３が特別電動役物である。
大入賞口７４は、変形例１〜３とは異なり、縦長の形状を呈し、大入賞口７４の上縁部から上流側に向かって直線状に延びる上流側右鉛直部７２と、大入賞口７４の下縁部から下流側に向かって直線上に延びる下流側右鉛直部７５との間に形成されている。
上流側右鉛直部７２及び大入賞口７４の左側には、これらに対向して鉛直方向に直線状に延びる左鉛直部７１を配している。
左鉛直部７１の上端部と上流側右鉛直部７２の上端部の間に、大入賞口４４に至る遊技球Ｐを受け入れる受入口７６を形成し、該受入口７６の大きさＬ１は１３５ｍｍ以下に設定している。
【００５６】
特別電動役物７３は、上可動板７３ａ、中間可動板７３ｂ、及び下可動板７３ｃからなり、上可動板７３ａ、中間可動板７３ｂ、及び下可動板７３ｃは、図７（ａ）に示す如く、上流側右鉛直部７２と下流側右鉛直部７５とを結ぶ直線上に起立して大入賞口７４を閉塞する閉塞姿勢と、左鉛直部７１側に倒れて遊技球Ｐを受け止めて大入賞口７４へ導くとともに大入賞口７４を開放する開放姿勢との間で、往動可能となっている。
また、開放姿勢の下可動板７３ｃの先端と左鉛直部７１の下端との間は、遊技球Ｐが通過できないように構成している一方、開放姿勢の上可動板７３ａの先端及び中間可動板７３ｂの先端と左鉛直部７１との間は、遊技球Ｐが通過可能に構成している。
【００５７】
特別電動役物７３の未作動時に、受入口７６を通過した遊技球Ｐは、図７（ａ）に示す如く、左鉛直部７１と、上流側右鉛直部７２、閉塞姿勢の特別電動役物７３及び下流側右鉛直部７５の間の流路を落下する。
一方、特別電動役物７３の作動時には、受入口７６を通過した遊技球Ｐは、図７（ｂ）に示す如く、上可動板７３ａ、中間可動板７３ｂ、及び下可動板７３ｃの何れかによって受け止められ、大入賞口７４へ流れ込むことになる。よって、特別電動役物７３の作動時には、大入賞口７４への入賞が著しく容易となる。
【００５８】
また、特別電動役物７３の作動時には、左鉛直部７１、開放姿勢の下可動板７３ｃ及び上流側右鉛直部７２によって、前記受入口７６以外からの遊技球Ｐの流入が不可能な閉じた領域が形成される。よって、特別電動役物７３の作動時の大入賞口６４の入口の大きさは、受入口５５の大きさＬ１となり、受入口５５の大きさＬ１は１３５ｍｍ以下に設定しているため、遊技関連規則に抵触することはない。
【００５９】
さらに、本変形例４の構成を採用した場合、大入賞口７４の大きさＬ２は任意に設定することが出来る。本変形例４において、大入賞口７４の大きさＬ２は、１３５ｍｍを超えるものに設定している。このような構成を採用することも可能であり、また採用することによって、視覚的に大きなインパクトを遊技者に与える魅力的なパチンコ機を提供することが出来る。
【００６０】
以上、複数の構成例について説明したが、説明した全ての構成例に共通して、特別電動役物の作動時に、受入口以外からの遊技球の流入が不可能となる閉じた領域内には、遊技球の落下方向に影響を与える構造物を設けるのが望ましい。これにより、この領域内を落下する遊技球の動きに変化を与えることが出来る。
また、大入賞口の大型化に伴い、規定入賞数を超える遊技球が大入賞口に入賞する、所謂オーバー入賞を回避する構成を採用する必要がある。
さらに、変形例４の構成を採用するとともに、大入賞口４４の内部に、遊技球の通過を条件に遊技者に特典を付与する特定領域を設け、大入賞口４４へ入賞したルート、具体的には複数の可動板７３ａ〜７３ｃのうち何れの可動板に受け止められて大入賞口４４へ入賞したかによって、遊技球が前記特定領域を通過する確率が異なる構成を採用してもよい。前記特典の具体例としては、大当り遊技終了後に大当り確率が通常時よりも高い確変状態への移行や、大当りの付与、次の大当りラウンドへの移行等が挙げられる。
【産業上の利用可能性】
【００６１】
本発明は、パチンコ機に適用することができる。
【符号の説明】
【００６２】
１……パチンコ機、３０……第１始動口、３１……第２始動口、３２……普通電動役物、３６……演出表示装置、３３、４４、５４、７４……大入賞口、３３ａ……開閉板（特別電動役物）、３４Ｌ、５１Ｌ……左囲い部（領域区画部材）、３４Ｒ、５１Ｒ……右囲い部（領域区画部材）、３５、４５、５５、７６……受入口、４１……囲い部（領域区画部材）、４３、５３、６３、７３……特別電動役物、６４Ｌ……第１大入賞口、６４Ｒ……第２大入賞口
【図１】
2018108525.tif 000003
【図２】
2018108525.tif 000004
【図３】
2018108525.tif 000005
【図４】
2018108525.tif 000006
【図５】
2018108525.tif 000007
【図６】
2018108525.tif 000008
【図７】
2018108525.tif 000009